(57)【要約】【課題】本発明の課題は、噛み終えたガムを包む捨て紙が収納される紙収納部を備えたガム容器であって、見栄えが良いと共に捨て紙の取出しを容易に行うことができるガム容器を提供することである。【解決手段】ガム収納部５と、噛み終えたガム３を包む捨て紙１１が収納される捨て紙収納部７とを一体に備えたガム容器１であって、捨て紙１１は１枚ずつ積層してあり、捨て紙収納部７はその平面の略中央位置を軸として開閉自在な蓋９を備え、蓋９は略中央位置と反対側の一端が取出口２９となっており、蓋９には開口部１０が捨て紙１１の取出口２９側の縁部から離れた位置に設けられており、開口部１０に指を入れて捨て紙１１をスライド移動させて捨て紙１１を取り出すようにした。【選択図】  図１
2004175362.tif 000002
【特許請求の範囲】
【請求項１】
ガム収納部と、噛み終えたガムを包む捨て紙が収納される捨て紙収納部とを一体に備えたガム容器であって、捨て紙は１枚ずつ積層してあり、捨て紙収納部はその平面の略中央位置を軸として開閉自在な蓋を備え、蓋は略中央位置と反対側の一端が取出口となっており、蓋には開口部が捨て紙の取出口側の縁部から離れた位置に設けられており、開口部に指を入れて捨て紙をスライド移動させて捨て紙を取り出すことを特徴とするガム容器。
【請求項２】
捨て紙収納部の取出口には、捨て紙が載置される底部から取出口に向かって傾斜した傾斜部を備え、傾斜部には用紙分離突起が設けられていることを特徴とする請求項１記載のガム容器。
【発明の詳細な説明】
【０００１】
【発明の属する技術分野】
本発明は、ガムを収容するガム容器に関するものである。
【０００２】
【従来の技術】
粒状のガムは通常箱状の容器に収納されており、容器から適宜ガムを手に取り出して食べる。粒状のガムの場合には板状のガムのように紙に包装されておらず、ガムを噛み終えた後は、自前のティッシュペーパに包んで捨てるか、あるいはそのまま路上等に吐き捨てる場合が多かった。
【０００３】
これに対し、ガムを収納する容器に捨て紙収納部を設けて、噛み終わったガムを紙に包んでゴミ箱に捨てられるようにしたものがある。この従来技術では開口部に指を入れて連続的に折り畳まれた捨て紙をスライド移動させて捨て紙を取り出し、１枚毎に切り取って使用している（特許文献１）。
【０００４】
【特許文献１】
特開平１１−３４９０６７号公報
【０００５】
【発明が解決しようとする課題】
しかし、特許文献１に記載された発明は、紙収納部の蓋に設けた開口部が取出側に開いた形状であるため、開口部に指を入れて捨て紙をスライド移動させる際に、捨て紙のスライド量が大きくなって捨て紙の先端が出すぎてしまうことがある。このように捨て紙が出過ぎると紙の先端が垂れてしまい、指でつかみ取り難いと共に、見栄えが悪いという不具合があった。
【０００６】
また、捨て紙に連続紙を使用しているので、紙を切り取ったりするなどの煩わしい作業を行わなければならないという問題があった。
【０００７】
本発明は、噛み終えたガムを包む捨て紙が収納される紙収納部を備えたガム容器であって、見栄えが良いと共に捨て紙の取り出しを容易に行うことができるガム容器を提供することを目的とする。
【０００８】
【課題を解決するための手段】
請求項１に記載の発明は、ガム収納部と、噛み終えたガムを包む捨て紙が収納される捨て紙収納部とを一体に備えたガム容器であって、捨て紙は１枚ずつ積層してあり、捨て紙収納部はその平面の略中央位置を軸として開閉自在な蓋を備え、蓋は略中央位置と反対側の一端が取出口となっており、蓋には開口部が捨て紙の取出口側の縁部から離れた位置に設けられており、開口部に指を入れて捨て紙をスライド移動させて捨て紙を取り出すことを特徴とする。
【０００９】
この請求項１に記載の発明では、捨て紙は１枚ずつ積層してあり、捨て紙を容器から取り出すには、指を開口部に入れて捨て紙を取り出し方向にスライドさせる。これにより、捨て紙の先端が取出口から出て来たら、捨て紙の先端を指で掴んで引っ張ることで捨て紙を取り出す。
【００１０】
このように、開口部が捨て紙の取出口側の縁部から離れた位置にあるので、捨て紙を取り出す際に、指を開口部でスライドさせる際に、指のスライドは縁部で制限されるので、捨て紙の移動幅が開口部範囲内に規制され、捨て紙の先端が垂れるまで出ることを防止でき、見栄えが良いと共に取り出しが容易にできる。
【００１１】
また、捨て紙は１枚づつ重ねて収納されているので、捨て紙を引っ張るだけで簡単に取り出すことができ、従来の連続紙のように紙を切り取ったりするなどの煩わしい作業が不要である。
【００１２】
請求項２に記載の発明は、請求項１記載の発明は、捨て紙収納部の取出口には、捨て紙が載置される底部から取出口に向かって傾斜した傾斜部を備え、傾斜部には用紙分離突起が設けられていることを特徴とする。
【００１３】
この請求項２に記載の発明では、請求項１記載の発明と同様の効果を奏するとともに、取出口の傾斜部に用紙分離突起を設けたので、捨て紙がスライド移動して取出口までくると、捨て紙の先端部分が用紙分離突起に突き当たり、複数枚重ねて出ようとすると、用紙分離突起を乗り越えた最上面の捨て紙のみが、取出口から取り出される。したがって、２枚以上の捨て紙が重なって出てくることを防止でき、１枚ずつ捨て紙を取り出すことができる。
【００１４】
【発明の実施の形態】
以下に本発明の実施例を図面に基づいて具体的に説明する。図１は本発明に係るガム容器を概略的に示した斜視図、図２は図１のガム容器に捨て紙が収納された状態を示した斜視図、図３は図２のガム容器の蓋を開けた状態を示す斜視図、図４は図１のガム容器を示す断面図、図５は図１の捨て紙収納部の一部分を示す断面図、図６は図１のガム収納部を示す斜視図、図７は他の実施例を示す斜視図である。
【００１５】
ガム容器１は噛み終えたガム３の捨て紙１１を収容した捨て紙収納部７と、捨て紙収納部７の反対側に設けられるガム３を収納するガム収納部５とからなる容器本体と、この容器本体に対してスライド自在に設けられるカバー部３５から構成される。
【００１６】
捨て紙収納部７は、ガム容器１の一側面に凹部１２が形成されており、捨て紙１１が所定の枚数だけ収納できるようになっている。また、凹部１２には底部３７を備えており、凹部１２の取出口１３側には、底部３７から取出口１３に向かって傾斜したスロープ（傾斜部）１５が設けられており、このスロープ１５に沿って捨て紙１１の先端が移動することで、捨て紙１１が途中で引っ掛かることがなく、スムーズな取り出しが可能となっている。底部３７には微細な凹凸が形成されており、捨て紙１１との摩擦を高くすることで、複数枚の捨て紙１１が取り出されるのを防止している。
【００１７】
また、スロープ１５には用紙分離突起４０が設けられており、捨て紙１１が用紙分離突起４０に引っ掛かることで、捨て紙１１が複数枚重なって取り出されるのを防止している。尚、蓋９の取出口側端部には略円弧状の切欠部５０が形成されおり、蓋９を閉めたときに用紙分離突起４０と蓋９との間に隙間ができるようになっている。
【００１８】
凹部１２を塞ぐ蓋９は捨て紙収納部７の平面の略中央位置を軸として開閉自在になっている。また、蓋９の取出口１３側の端部は蓋９を閉じた際に、捨て紙１１が通る程度のスリットができるように蓋９と縁部１４の間が開いている。
【００１９】
また、蓋９には略楕円形状の開口部１０が設けられており、指をこの開口部１０に入れて捨て紙１１をスライドさせることで、最上部の捨て紙１１の先端が取出口１３から出るようになっている。開口部１０は取出口側の縁部１４から離れた位置に設けられており、指のスライド幅を制限して捨て紙１１の移動幅を規制している。
【００２０】
蓋１０の両側には略半円状の係止部２１が設けられており、この係止部２１が収容器本体側の係合部２３に嵌ることで蓋１０が容易に開かないようになっている。
捨て紙収納部７内に収納される捨て紙１１は、１枚ずつ積層されており、その大きさも噛み終わったガム３を包む程度の大きさであれば良く、また材質等も特に決められたものはないが、例えばパラフィン紙や銀紙、合成紙など特に限定されない。
【００２１】
ガム３を収納するガム収納部５は、捨て紙収納部７がガム収納部５のスペース分だけ盛り上がっており、底壁２４が階段状になっている。そして、カバー部３５をスライドさせることで、ガム収納部５内に収納されているガム３を取り出すことができる。
【００２２】
次に、上記した構成に基づき、本実施の形態の作用を説明する。捨て紙収納部７に捨て紙１１を収納する際には、蓋９を取出口１３から開けて、収納部内に捨て紙１１を１枚ずつ積層して所定の枚数だけ収納し、収納が終えたら蓋９を閉じる。
【００２３】
捨て紙１１を容器から取り出すには、指を開口部１０に入れて捨て紙１１を取り出し方向にスライドさせる。捨て紙１１の先端が取出口１３から出て来たら、捨て紙１１の先端を指で掴んで引っ張ることで捨て紙１１を取り出せる。そして、捨て紙１１を口にあてがい、噛み終えたガム３を捨て紙１１に包んでゴミ箱に捨てる。
【００２４】
このように、捨て紙１１を取り出す際に、開口部１０が捨て紙１１の取出口１３側の縁部１４から離れた位置にあるので、指をスライドさせる際に、指のスライドが制限されるので、捨て紙１１の移動幅が開口部１０範囲内に規制され、捨て紙１１の先端が垂れるまで出ることを防止できる。よって、捨て紙１１の先端を指でつかみ取り易くなると共に見栄えが良い。
【００２５】
また、捨て紙１１は１枚づつ重ねて収納されているので、捨て紙１１を引っ張るだけで簡単に取り出すことができ、従来の連続紙を使用する場合のように、紙を切り取ったりするなどの煩わしい作業が不要である。
【００２６】
また、取出口１３の傾斜部１５に用紙分離突起４０を設けたので、たとえば複数枚の捨て紙１１ａ，１１ｂがスライド移動して取出口１３までくると、２枚目１１ｂの捨て紙１１の先端部分は用紙分離突起４０に突き当たり、用紙分離突起４０を乗り越えた最上面の捨て紙１１ａのみが、取出口１３から取り出される。したがって、２枚以上の捨て紙１１が重なって出てくることを防止でき、１枚ずつ捨て紙１１を取り出すことができる。
【００２７】
次に、図７を参照して他の実施の形態について説明するが、その説明にあたり、上述した部分と同様な部分には同一の符号を付することにより、その説明を省略する。図７に示す実施の形態では、捨て紙１１を収納する捨て紙収納部３３とガム容器１とが別体としてあり、捨て紙収納部７はガム容器１に着脱自在でありガム容器１の本体側には捨て紙収納部３３を収納するための凹部３１が形成されている。このように、捨て紙収納部３３とガム容器１とが着脱自在なので、一体にして使用しても良いし、捨て紙収納部３３又はガム容器１のみをそれぞれ別に単独で使用しても良い。
【００２８】
本発明は、上述のような実施例に限定されず、その要旨を逸脱しない範囲内において種々の変形が可能である。例えば、ガム収納部５は、カバー部３５でスライド自在に開閉を行うようにしたが、ガム収納部５の開口部分を蓋で覆って、この蓋の開閉でガム３の取り出しを行うようにしても良い。
【００２９】
蓋９に設ける開口部１０の形状は略楕円形状にしたが、略円形状や略四角形状にしても良い。
【００３０】
ガム容器１は、傾斜部１５に用紙分離突起４０を設けなくとも良い。
【００３１】
【発明の効果】
請求項１に記載の発明では、開口部が捨て紙の取出口側の縁部から離れた位置にあるので、捨て紙を取り出す際に、指を開口部でスライドさせる際に、指のスライドは縁部で制限されるので、捨て紙の移動幅が開口部範囲内に規制され、捨て紙の先端が垂れるまで出ることを防止でき、見栄えが良いと共に取り出しが容易にできる。
【００３２】
また、捨て紙は１枚づつ重ねて収納されているので、捨て紙を引っ張るだけで簡単に取り出すことができ、紙を切り取ったりするなどの煩わしい作業が不要である。
【００３３】
請求項２に記載の発明では、請求項１記載の発明と同様の効果を奏するとともに、取出口の傾斜部に用紙分離突起を設けたので、捨て紙がスライド移動して取出口までくると、捨て紙の先端部分が用紙分離突起に突き当たり、複数枚重ねて出ようとすると、用紙分離突起を乗り越えた最上面の捨て紙のみが、取出口から取り出される。したがって、２枚以上の捨て紙が重なって出てくることを防止でき、１枚ずつ捨て紙を取り出すことができる。
【図面の簡単な説明】
【図１】本発明に係るガム容器を概略的に示した斜視図である。
【図２】図１のガム容器に捨て紙が収納された状態を示した斜視図である。
【図３】図２のガム容器の蓋を開けた状態を示す斜視図である。
【図４】図１のガム容器を示す断面図である。
【図５】図１の捨て紙収納部の一部分を示す断面図である。
【図６】図１のガム収納部を示す斜視図である。
【図７】他の実施例を示す斜視図である
【符号の説明】
１            ガム容器
３            ガム
５            ガム収納部
７            捨て紙収納部
９            蓋
１０          開口部
１１          捨て紙
１３          取出口
１４          縁部
１５          傾斜部
２５          取出口の蓋
２７          案内手段
２９          取出口
３７          底部
４０          用紙分離突起
【図１】
2004175362.tif 000003
【図２】
2004175362.tif 000004
【図３】
2004175362.tif 000005
【図４】
2004175362.tif 000006
【図５】
2004175362.tif 000007
【図６】
2004175362.tif 000008
【図７】
2004175362.tif 000009